(57)【要約】【課題】２つの表示部に異なる画像を表示させる場合であっても操作者が画像の操作を行いやすい表示装置を提供することを目的とする。【解決手段】第１の画像を表示する第１表示部と、第２の画像を表示する第２表示部と、第１表示部および第２表示部を制御する制御部と、を有し、制御部は、第２の画像の一部を第１表示部に第１の画像として表示させ、第２の画像の前記第１の画像として表示させている部分の外周には、表示枠を表示することで、上記課題を解決する。【選択図】図１−１
2011048204.tif 000002
【特許請求の範囲】
【請求項１】
第１の画像を表示する第１表示部と、
第２の画像を表示する第２表示部と、
前記第１表示部および前記第２表示部を制御する制御部と、を有し、
前記制御部は、前記第２の画像の一部を前記第１表示部に前記第１の画像として表示させ、前記第２の画像の前記第１の画像として表示させている部分の外周には、表示枠を表示することを特徴とする表示装置。
【請求項２】
前記第１表示部は、外部通信部を介して接続された他の画像表示機構であり、
前記制御部は、前記外部通信部を介して、前記第１表示部に画像信号を送ることを特徴とする請求項１に記載の表示装置。
【請求項３】
さらに、操作者が操作を入力する入力部、を有し、
前記表示枠及び前記第２の画像の少なくとも一方は、前記入力部に入力される操作により、前記第２表示部の画面上で変形或いは移動が可能であり、
前記制御部は、前記表示枠と前記第２の画像との変形或いは移動を反映させて、前記第１表示部に前記第１の画像を表示することを特徴とする請求項１または２に記載の表示装置。
【請求項４】
前記制御部は、前記表示枠と前記第２の画像との位置関係を変化不可能に設定する表示枠固定モードが選択可能であり、
前記表示枠固定モードが選択されている場合には、前記入力部からの操作があっても前記表示枠と前記第２の画像との位置関係を保持することを特徴とする請求項３に記載の表示装置。
【請求項５】
前記制御部は、前記表示枠と前記第２の画像との位置関係を変化可能に設定する表示枠操作モードが選択可能であり、
前記表示枠操作モードが選択されている場合は、前記入力部からの操作により前記表示枠または前記第２の画像が操作されたら、前記操作に基づいて前記表示枠または前記第２の画像を操作し、前記第２の画像の前記表示枠で囲われた部分を前記第１の画像として、前記第１表示部に表示させることを特徴とする請求項３または４に記載の表示装置。
【請求項６】
前記制御部は、前記表示枠の変形或いは位置変化に対応して、当該表示枠内の前記第２の画像が追従して変形或いは位置変化する画像追従モードが選択可能であり、
前記画像追従モードが選択されている場合には、前記入力部からの操作により前記表示枠を変形或いは位置変化させたときには、前記表示枠に合わせて前記第２の画像を変形或いは位置変化させて前記第２表示部に表示させることを特徴とする請求項３から５のいずれか１項に記載の表示装置。
【請求項７】
前記第２表示部は、前記第２の画像に加え、前記第２の画像とは異なる画像情報を基に生成された第３の画像を表示させており、
前記制御部は、前記表示枠内で、前記第２の画像と第３の画像とが重なっているときに、前記第３の画像が選択されると、前記第３の画像が前記第２の画像の上に重なっている画像を前記第１の画像として前記第１表示部に表示させることを特徴とする請求項１から６のいずれか１項に記載の表示装置。
【請求項８】
さらに、画像情報を記憶する記憶部を有し、
前記制御部は、前記表示枠内に、前記第２の画像と前記第３の画像とが共に表示されている場合に前記第１表示部に表示させる画像を、第４の画像として前記記憶部に記憶させることを特徴とする請求項７に記載の表示装置。
【請求項９】
前記制御部は、前記第４の画像と、表示枠或いは画像の形状に関する情報とが含まれる情報を前記記憶部に記憶させることを特徴とする請求項７に記載の表示装置。
【請求項１０】
前記制御部は、前記表示枠または前記第２の画像が、予め設定された時間継続して操作されないことを検出した場合は、前記表示枠及び前記第２の画像の少なくとも一方を前記第２表示部に表示させないことを特徴とする請求項１から９のいずれか１項に記載の表示装置。
【請求項１１】
さらに、外部から受信した報知内容を前記第２表示部に表示する報知部を有し、
前記制御部は、前記報知部の報知内容を、前記表示枠の外側に表示することを特徴とする請求項１から１０のいずれか１項に記載の表示装置。
【発明の詳細な説明】
【技術分野】
【０００１】
本発明は、複数の表示部に画像を表示させることができる表示装置に関する。
【背景技術】
【０００２】
従来から、パーソナルコンピュータ（ＰＣ）や携帯電話機等の画像を表示させる表示装置には、自身の液晶表示部に画像を表示させつつ、外部出力端子を介して、プロジェクタや他の表示装置にも画像を表示させる機能がある。また、電子機器としては、２つの表示部を備え、２つの表示部に画像を表示できる装置もある。
【０００３】
また、近年では、液晶表示部と、プロジェクタ部の２つの表示部を有し、小型で持ち運びが容易な携帯型のプロジェクタも提案されている。例えば、特許文献１には、上キャビネットと、下キャビネットと、上キャビネットおよび下キャビネットを互いに回動可能に接続するヒンジ部とを備え、レンズと光源とを有するプロジェクタが搭載されたプロジェクタ機能付携帯端末が記載されている。この携帯端末には、上キャビネットに液晶表示器が設けられている。
【先行技術文献】
【特許文献】
【０００４】
【特許文献１】特開２００７−９６５４２号公報
【発明の概要】
【発明が解決しようとする課題】
【０００５】
ここで、２つの表示部を備える構成では、操作者が一方の表示部の画面を見ながら操作し、視聴者は、他方の表示部の画面を観賞するという使い方をすることがある。２つの表示部をこのような方法で使う場合は、２つの表示部に同じ画像を表示させる方法と、２つの表示部に異なる画像を表示させる方法とがある。
【０００６】
まず、２つの表示部に同じ画像を表示させると、操作者は、一方の表示部の画面を見ながら操作することで、他方の表示部の画面に表示されている画面を確認することができる。しかしながら、この方法では、両方の表示部に同じ画像が表示されるため、操作者が画面を操作している画面状態が視聴者に見られてしまうことになる。例えば、次に表示するファイルを探している検索画面や、画面上に表示されている秘密書類等も見られてしまう。
【０００７】
また、２つの表示部にそれぞれ異なる画像を表示させると、操作者は、操作を入力する一方の表示部の画像は見ることができるが、他方の表示部は見ることができない場合に、他方の表示部に表示されている内容を確認することができない。そのため操作がしにくい。
【０００８】
本発明は、上記に鑑みてなされたものであって、２つの表示部に異なる画像を表示させる場合であっても操作者が画像の操作を行いやすい表示装置を提供することを目的とする。
【課題を解決するための手段】
【０００９】
本発明は、表示装置であって、第１の画像を表示する第１表示部と、第２の画像を表示する第２表示部と、前記第１表示部および前記第２表示部を制御する制御部と、を有し、前記制御部は、前記第２の画像の一部を前記第１表示部に前記第１の画像として表示させ、前記第２の画像の前記第１の画像として表示させている部分の外周には、表示枠を表示することを特徴とする。
【００１０】
ここで、前記第１表示部は、外部通信部を介して接続された他の画像表示機構であり、前記制御部は、前記外部通信部を介して、前記第１表示部に画像信号を送ることが好ましい。
【００１１】
さらに、操作者が操作を入力する入力部、を有し、前記表示枠及び前記第２の画像の少なくとも一方は、前記入力部に入力される操作により、前記第２表示部の画面上で変形或いは移動が可能であり、前記制御部は、前記表示枠と前記第２の画像との変形或いは移動を反映させて、前記第１表示部に前記第１の画像を表示することが好ましい。
【００１２】
また、前記制御部は、前記表示枠と前記第２の画像との位置関係を変化不可能に設定する表示枠固定モードが選択可能であり、前記表示枠固定モードが選択されている場合には、前記入力部からの操作があっても前記表示枠と前記第２の画像との位置関係を保持することが好ましい。
【００１３】
また、前記制御部は、前記表示枠と前記第２の画像との位置関係を変化可能に設定する表示枠操作モードが選択可能であり、前記表示枠操作モードが選択されている場合は、前記入力部からの操作により前記表示枠または前記第２の画像が操作されたら、前記操作に基づいて前記表示枠または前記第２の画像を操作し、前記第２の画像の前記表示枠で囲われた部分を前記第１の画像として、前記第１表示部に表示させることが好ましい。
【００１４】
前記制御部は、前記表示枠の変形或いは位置変化に対応して、当該表示枠内の前記第２の画像が追従して変形或いは位置変化する画像追従モードが選択可能であり、前記画像追従モードが選択されている場合には、前記入力部からの操作により前記表示枠を変形或いは位置変化させたときには、前記表示枠に合わせて前記第２の画像を変形或いは位置変化させて前記第２表示部に表示させることが好ましい。
【００１５】
また、前記第２表示部は、前記第２の画像に加え、前記第２の画像とは異なる画像情報を基に生成された第３の画像を表示させており、前記制御部は、前記表示枠内で、前記第２の画像と第３の画像とが重なっているときに、前記第３の画像が選択されると、前記第３の画像が前記第２の画像の上に重なっている画像を前記第１の画像として前記第１表示部に表示させることが好ましい。
【００１６】
さらに、画像情報を記憶する記憶部を有し、前記制御部は、前記表示枠内に、前記第２の画像と前記第３の画像とが共に表示されている場合に前記第１表示部に表示させる画像を、第４の画像として前記記憶部に記憶させることが好ましい。
【００１７】
また、前記制御部は、前記第４の画像と、表示枠或いは画像の形状に関する情報とが含まれる情報を前記記憶部に記憶させることが好ましい。
【００１８】
また、前記制御部は、前記表示枠または前記第２の画像が、予め設定された時間継続して操作されないことを検出した場合は、前記表示枠及び前記第２の画像の少なくとも一方を前記第２表示部に表示させないことが好ましい。
【００１９】
さらに、外部から受信した報知内容を前記第２表示部に表示する報知部を有し、前記制御部は、前記報知部の報知内容を、前記表示枠の外側に表示することが好ましい。
【発明の効果】
【００２０】
本発明にかかる表示装置は、一方の表示部に表示させている画像の一部を他方の表示部に表示させるようにすることで、操作者は一方の画面のみを見つつ、他方の表示部に表示させる画面を把握することができる。これにより、操作者は、２つの表示部に表示させる画像を簡単に操作することができるという効果を奏する。
【図面の簡単な説明】
【００２１】
【図１−１】図１−１は、表示装置の一実施形態の概略構成を示す模式図である。
【図１−２】図１−２は、図１−１に示す表示装置の概略構成を示すブロック図である。
【図２−１】図２−１は、表示装置に表示させる画像を説明するための説明図である。
【図２−２】図２−２は、表示装置に表示させる画像を説明するための説明図である。
【図２−３】図２−３は、表示装置に表示させる画像を説明するための説明図である。
【図３】図３は、表示装置の動作の一例を示すフロー図である。
【図４】図４は、表示装置の動作の一例を示すフロー図である。
【図５】図５は、表示装置の動作の一例を示すフロー図である。
【図６】図６は、表示装置の動作の一例を示すフロー図である。
【図７−１】図７−１は、表示装置に表示させる画像を説明するための説明図である。
【図７−２】図７−２は、表示装置に表示させる画像を説明するための説明図である。
【図７−３】図７−３は、表示装置に表示させる画像を説明するための説明図である。
【図７−４】図７−４は、表示装置に表示させる画像を説明するための説明図である。
【図７−５】図７−５は、表示装置に表示させる画像を説明するための説明図である。
【発明を実施するための形態】
【００２２】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、パーソナルコンピュータと携帯電子機器（携帯電話機）とを通信回線で接続した装置を例として表示装置の説明をするが、本発明の適用対象は、これに限定されるものではない。例えば、パーソナルコンピュータとプロジェクタとを通信回線で接続した装置、携帯電話機等の表示部を有する携帯電子機器を２つ接続した装置にも用いることができる。また、複数の機器を通信回線で繋げることに限定されず、１つの機器に液晶表示モニタとプロジェクタ機能を有する機器や、２つの液晶表示モニタを有する機器等にも用いることができる。また、携帯電子機器は、携帯電話機に限定されるものではなく、例えば、少なくとも１つの表示部を備えたＰＨＳ（Personal Handyphone System）、ＰＤＡ（携帯情報端末）、ポータブルナビゲーション装置、ノートパソコン、ゲーム機等に対しても本発明は適用できる。
【００２３】
以下、図１−１及び図１−２を用いて、表示装置１０の装置構成を説明する。図１−１は、表示装置の一実施形態の概略構成を示す模式図であり、図１−２は、図１−１に示す表示装置の概略構成を示すブロック図である。図１−１及び図２−１に示すように、表示装置１０は、パーソナルコンピュータ（以下「ＰＣ」という。）１２と、携帯電子機器１４と、通信回線１６とで構成されている。以下、各部について説明する。
【００２４】
まず、パーソナルコンピュータ（ＰＣ）１２は、処理装置２０と、画像を表示する表示部２２と、操作者により指示が入力される操作部２４とで構成されている。なお、ＰＣ１２は、これら以外にも、ＰＣとして通常備える各種構成、例えば、記憶媒体読取部（ＣＤ−Ｒ、ＤＶＤ−Ｒ、ＵＳＢ端子）や、音声出力部、音声入力部等も有する。処理装置２０は、各部の動作を制御する制御部２６と、各種情報を記憶する記憶部２８と、他の機器と情報の送受信を行う外部通信部３０とを有する。
【００２５】
制御部２６は、ＣＰＵ（Central Processing Unit）等のＰＣ１２及び表示装置１０の全体的な動作を統括的に制御する処理部である。すなわち、表示装置１０の各種の処理が、操作部２４の操作や処理装置２０の記憶部２８に保存されるソフトウェアに応じて適切な手順で実行されるように、表示部２２、外部通信部３０等の動作を制御する。
【００２６】
制御部２６は、記憶部２８に保存されているプログラム（例えば、オペレーティングシステムプログラム、アプリケーションプログラム等）に基づいて処理を実行する。制御部２６は、例えば、マイクロプロセッサユニット（ＭＰＵ：Micro Processor Unit）で構成され、前記ソフトウェアで指示された手順にしたがって上述したＰＣ１２及び表示装置１０の各種の処理を実行する。すなわち、制御部２６は、記憶部２８に保存されるオペレーティングシステムプログラムやアプリケーションプログラム等から命令コードを順次読み込んで処理を実行する。
【００２７】
制御部２６は、複数のアプリケーションプログラムを実行する機能を有する。制御部２６が実行するアプリケーションプログラムとしては、例えば、静止画や動画を再生する画像再生アプリケーションプログラム、操作部２４の操作に基づいて表示部２２に表示させる画像及び外部通信部３０を介して携帯電子機器１４に送る画像情報を制御するアプリケーションプログラム、各種ゲームを作動させるゲームアプリケーションプログラム等の複数のアプリケーションプログラムがある。
【００２８】
記憶部２８は、制御部２６での処理に利用されるソフトウェアやデータが保存されており、上述した、プロジェクタの駆動を制御するアプリケーションプログラムを作動させるタスクや、静止画や動画を再生する画像再生アプリケーションプログラムを作動させるタスク、各種ゲームアプリケーションプログラムを作動させるタスクが保存されている。
【００２９】
また、記憶部２８には、これらのタスク以外にも、例えば、通信、ダウンロードされたデータ、あるいは記憶部２８に対する制御に制御部２６が用いるソフトウェア、ソフトウェアの処理過程で用いられる一時的なデータ等が保存されている。なお、ソフトウェアの処理過程で用いられるコンピュータプログラムや一時的なデータは、制御部２６によって記憶部２８に割り当てられた作業領域へ一時的に保存される。記憶部２８は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００３０】
外部通信部３０は、有線、無線の通信回線を介して他の機器と情報の送受信を行う。例えば、無線で通信を行う場合は、無線ＬＡＮ（Local Area Network）や、赤外線通信により他の機器との情報の送受信を行い、有線で通信を行う場合は、電線、光ファイバーケーブル等の通信ケーブルを用いて他の機器との送受信を行う。また、外部通信部３０は、上述した有線、無線の通信回線と接続するための接続端子を備えている。接続端子としては、無線の場合は、無線機器、赤外線ポートを用いることができ、有線の場合は、通信回線（ケーブル）と接続できるポート（ＵＳＢ（Universal Serial Bus）ポート、ＬＡＮポート）を用いることができる。
【００３１】
表示部２２は、液晶ディスプレイ（ＬＣＤ、Liquid Crystal Display）や、有機ＥＬ（Organic  Electro−Luminescence）パネルなどで構成された表示パネルを備え、制御部２６から供給される映像データに応じた映像、画像データに応じた画像を表示パネルに表示させる。
【００３２】
操作部２４は、数字キー、文字キー、方向キー、決定キー等の入力キーを備えるキーボードで構成され、キーボードのキーがユーザの操作により入力されると、その操作内容に対応する信号を発生させる。そして、発生した信号は、ユーザの指示として制御部２６へ入力される。なお、操作部２４は、キーボードに限定されず、マウス、ジョイスティック等のポインティングデバイスも用いることができる。表示部２２の表面に接触を検出できる機器を配置し、表示部２２に表示されている情報と表示部２２のどの位置をタッチされたかに基づいてユーザ操作による入力を検出するタッチパネルも用いることができる。ＰＣ１２は、以上のような構成である。
【００３３】
携帯電子機器１４は、無線通信機能および有線通信機能を備えた携帯電話機である。携帯電子機器１４は、ヒンジで連結された２つの部材で構成した折りたたみ可能な筐体に各部を収納した携帯電話機である。なお、本実施形態では、折りたたみ型の筐体としたが、１つの箱型形状の筐体としても、２つの部材をスライドさせる筐体としてもよい。また、３つ以上の部材を連結した筐体も用いることができる。
【００３４】
携帯電子機器１４には、表示部として、図１−１及び図１−２に示す携帯表示部３２が設けられる。携帯表示部３２は、所定の画像として、携帯電子機器１４が受信を待機している状態のときに待ち受け画像を表示したり、携帯電子機器１４の操作を補助するために用いられるメニュー画像を表示したりする。また、携帯表示部３２は、通信回線１６を介してＰＣ１２から供給される画像信号の画像を表示させる。
【００３５】
また、携帯電子機器１４は、通信回線１６と接続するための接続端子を備える。接続端子としては、上述した種々の接続端子を用いることができる。さらに、携帯電子機器１４は、携帯表示部３２以外にも、携帯電話機として必要な各種機能を備えている。一例として携帯電子機器１４は、基地局等と通信を行い電話通信する送受信部、操作者による操作を入力する操作部、マイクから入力される音声を信号に変換したり、レシーバ、スピーカから出力される音声を生成したりする音声処理部等を有する。また、携帯電子機器１４は、通話機能に加え、メール機能、音声再生機能等種々の機能（アプリケーション）を備えていてもよい。
【００３６】
通信回線１６は、ＰＣ１２の外部通信部３０と携帯電子機器１４とを接続したケーブルであり、外部通信部３０から発信された情報（信号）を携帯電子機器１４に送り、携帯電子機器１４から発信された情報（信号）を外部通信部３０に送る。なお、ケーブルとしては、同軸ケーブル、光ファイバーケーブル等を用いることができる。なお、ＰＣ１２と携帯電子機器１４との間で無線通信を行う場合は、通信回線１６は、赤外線、電波等になる。
【００３７】
次に、図２−１から図２−３を用いて、表示装置１０の動作について説明する。ここで、図２−１から図２−３は、表示装置に表示させる画像を説明するための説明図である。表示装置１０のＰＣ１２の制御部２６は、操作部２４に入力される操作者の操作指示に基づいて、または、予め設定されている指示に基づいて、ＰＣ１２の表示部２２に表示させる画像、及び携帯電子機器１４の携帯表示部３２に表示させる画像を制御する。また、制御部２６は、図２−１に示すように、ＰＣ１２の表示部２２の画像の一部を携帯電子機器１４の携帯表示部３２に表示させることができる。また、制御部２６は、ＰＣ１２に表示させている画像のうち、携帯表示部３２にも表示させている領域の外周に表示枠５０を表示させている。つまり、制御部２６は、基本的に表示部２２に表示させている画像のうち、表示枠５０で囲われている領域の画像を携帯表示部３２に表示させる。なお、図２−１に示す例では、表示枠５０に囲われている画像を１つのウインドウ（画面上に独立して表示された１つの画像、アプリケーションに与えられる所定の表示領域）の画像とした。つまり、携帯表示部３２には、表示部２２に表示されている画像のうち、１つのウインドウの画像が表示されている。このため、ウインドウの外周を示す線（以下「ウインドウ枠」ともいう。）が表示枠５０と重なっている。なお、壁紙として表示される画像もウインドウの一つになる。
【００３８】
なお、図２−１に示す例では、１つのウインドウを表示枠５０で囲い、表示枠５０で囲われたウインドウを携帯表示部３２に表示させたが、携帯表示部３２に表示させる画像は、操作者の操作により、任意に選択、変更することができる。例えば、ウインドウが複数ある場合には、複数のウインドウから１つのウインドウを選択することができる。また、表示部２２に表示されている１つのウインドウをそのまま携帯表示部３２に表示させることに限定されず、１つのウインドウの一部のみを携帯表示部３２に表示させるようにしてもよく、表示部２２に表示された複数のウインドウを携帯表示部３２に表示させるようにしてもよい。
【００３９】
ここで、制御部２６は、携帯表示部３２に表示させる画像を、外縁を示す表示枠５０の位置、大きさを決定する操作、または変更する操作、または、表示枠５０が表示されている領域の内側にウインドウを移動させる操作、ウインドウを表示させる操作等に基づいて決定する。つまり、表示枠５０は、任意の大きさに変更することができ、表示部２２において、表示枠５０を拡大、縮小することができる。また、表示部２２に表示させる画像も同様に任意の大きさにすることができ、表示部２２において、表示枠５０を拡大、縮小することができる。
【００４０】
以下、図２−２及び図２−３を用いて、具体的に説明する。まず、図２−２の左側に示すように、表示部２２の一部には、表示枠５０に囲われた画像が表示されている。つまり、図２−１に示す表示部２２に示す状態で画像が表示されている。また、上述したように、表示枠５０には、ウインドウの外周を示すウインドウ枠５２が重なっている。なお、携帯表示部３２にも同様の画像が表示されている。この状態で、図２−２の中央の図に示すように、操作者の操作によりウインドウ枠５２のみを大きくする操作を行う。このようにウインドウ枠５２のみを大きくする操作を行うと、ウインドウ枠５２内に表示されている画像は、ウインドウ枠５２とともに拡大してされ、表示枠５０には、ウインドウ枠５２の一部の画像のみが入った状態となる。これにより、図２−２の右側の図に示すように、携帯表示部３２には、ウインドウ枠５２内の画像のうちの表示枠５０に囲われた一部の画像のみが表示される。
【００４１】
次に、図２−３の左上の図に示すように、携帯表示部３２にウインドウ枠５２内の一部の画像のみが表示されている状態（つまり、図２−２の右側の図の状態）から、図２−３の中央上に示す図のようにウインドウ枠５２を表示枠５０よりも小さくする操作を行う。つまり、図２−３の中央上に示すようにウインドウ枠５２を実線で示している大きさ及び位置から点線で示している大きさ及び位置に変化させる。なお、ウインドウ枠５２は、ドラッグアンドドロップ操作で大きさ、位置を変化させることができる。このようにウインドウ枠５２を点線の位置、大きさまで変化させると、図２−３の中央下の図に示すように、ウインドウ枠５２が表示枠５０よりも小さくなり、携帯表示部３２には、図２−３の右下に示すように、ウインドウ枠５２内の画像に加え、表示部２２のウインドウ枠５２よりも外側で表示枠５０よりも内側に表示されている画像も表示される。また、図２−３では、携帯表示部３２には、ウインドウ枠５２を表示しない設定としているため、ウインドウ枠５２は表示されない。
【００４２】
以上のように、表示部２２（一方の表示部）に表示されている画像の一部のみを携帯表示部３２（他の表示部）に表示させるようにすることで、操作者は、表示部２２の画面のみを見ることで、携帯表示部３２の画像及び表示部２２の画像を確認することができる。これにより、操作者は、携帯表示部３２の画像を見ることができない場合でも、両方の表示部に表示されている画像を適切に操作することができる。また、表示部２２の画像の一部のみを携帯表示部３２に表示させるようにすることで、操作者は、表示部２２の、携帯表示部３２に表示させていない領域、つまり、表示枠５０の外側の領域で、携帯表示部３２の視聴者には、見せられない画像、見せたくない画像を表示させることができる。これにより、携帯表示部３２にプレゼンテーション用の画像を表示させ、表示部２２には、説明文や、原稿を表示させることが可能となる。また、携帯表示部３２に画像を表示させつつ、次に携帯表示部３２に表示させる画像を探すことも可能となる。これにより、操作者の操作性を高くしつつ、表示部２２と携帯表示部３２の２つの表示部に画像を表示させることができる。
【００４３】
また、表示部２２に表示させている画像のうち、携帯表示部３２に表示させている画像を表示枠５０で囲うようにすることで、操作者は、携帯表示部３２に表示させている画像を容易に認識することができる。さらに、表示枠５０の大きさ、位置を操作できるようにすることで、操作者は、表示部２２の任意の位置の画像を携帯表示部３２に表示させることができる。
【００４４】
なお、図２−２及び図２−３では、１つのウインドウを表示枠に対して拡大、縮小した場合の説明をしたが、本発明はこれに限定されず、表示枠、ウインドウは、種々の操作を行うことができる。例えば、表示枠を移動させ、表示部２２の必要な部分のみを携帯表示部３２に表示させるようにしてもよい。また、表示部２２に２つのウインドウを表示させておき、表示枠を一方のウインドウから他方のウインドウに切り替えるようにしてもよい。この場合、携帯表示部３２に表示される画像としては、表示される画像が徐々に変化するようには表示されず、表示される画像が、一方のウインドウから他方のウインドウに瞬時に切り替わる。なお、これら、表示枠、ウインドウをそれぞれ操作でき、操作に応じて互いの関係が変化するモードは、表示枠操作モードとなる。
【００４５】
また、表示装置は、表示枠の大きさにかかわらず、携帯表示部の全画面を利用して表示枠内の画像を表示させるようにしてもよい。つまり、表示枠内の画像を携帯表示部に全画面表示するようにしてもよい。この場合、表示枠の形状（縦横比）と携帯表示部の画面の形状が異なる場合は、制御部で表示枠内の画像の引き伸ばし、圧縮等の処理を行い、画像を表示させる。また、表示部に表示されている画像の画素または大きさに合わせて、携帯表示部に表示させてもよい。つまり、表示枠内の画像をそのまま、携帯表示部に表示させてもよい。この場合、表示枠の形状（縦横比）と携帯表示部の画面の形状が異なる場合は、携帯表示部の画面の一部には、画像が表示されない。
【００４６】
また、上記実施例では、表示枠を矩形としたが、表示枠の大きさ、形状は、種々の形状とすることができる。例えば、□、○、☆形、ハート形、任意の形状等の形状とすることができる。
【００４７】
また、表示装置は、画像追従モードとして、表示枠とウインドウ枠とを一緒に操作できるようにしてもよい。これにより、携帯表示部に表示させる画像を変化させることなく、表示部に表示されているウインドウの大きさを変化させたり、移動させたりすることができる。
【００４８】
また、表示装置は、表示枠固定モードとして、操作者が表示部の表示枠、及び表示枠内のウインドウを操作しても、表示が変更できない設定とすることができる。なお、この場合は、所定のキー操作が行われた場合のみ操作可能とすればよい。これにより、操作者が積極的に特異の操作を行わない限り携帯表示部の画像を変更できないようにすることができる。
【００４９】
また、表示装置は、ロック設定可能とすることが好ましい。ここで、ロック設定とは、表示部に表示されているウインドウのうち、特定のウインドウのみを携帯表示部に表示させる設定である。また、設定によっては、表示部に表示されているウインドウのうち、特定のウインドウのみを携帯表示部に表示させないようにすることもできる。このように、特定のウインドウのみ、または特定のウインドウ以外を携帯表示部に表示させるようにすることで、操作者が誤って、携帯表示部に表示させたくないウインドウを表示枠内に移動させた場合でも、携帯表示部に表示させないようにすることができる。これにより、操作者は、安心して表示部の表示を操作することができ、操作性を高くすることができる。なお、この場合は、同一の画像情報を基にした画像（ウインドウ）ではあるが、表示部の表示枠内に異なる画像情報を基にした画像（液晶表示部には表示させないウインドウ）が表示されるため、表示部に表示されている画像と、携帯表示部に表示されている画像の一部が異なる画像となる。
【００５０】
また、外部（他の機器）から回線等を介して受信した報知内容（メール、メール受信のお知らせ）を表示部に表示させる報知部を備える場合は、報知部が表示させる報知内容を特定のウインドウとして設定することで、表示部にポップアップ等で意図しない報知内容（メールの受信報告、メールの内容）が表示された場合もそのメッセージを携帯表示部に表示させないようにすることができる。これにより、携帯表示部を視聴している人物に、外部から情報を受信したこと自体及び／またはその内容を知られることを防ぐことができる。
【００５１】
また、このように報知部を備える場合は、特定のウインドウとして設定することに加えてまたは替えて、報知部が表示させる報知内容を表示枠の外に表示させるように設定することもできる。このように、表示枠の外に表示させるようにすることでも、携帯表示部を視聴している人物に、外部から情報を受信したこと自体及び／またはその内容を知られることを防ぐことができる。
【００５２】
また、表示装置は、表示枠及び／または表示枠内のウインドウの操作が設定された時間行われなかったら、表示部の表示枠及び／または表示枠内の画像を表示させないようにしてもよい。つまり、ブランク画像を表示させるようにしてもよい。なお、ブランク画像に変えて、表示部の表示枠内の領域にスクリーンセーバや、ブランク画像に携帯表示部に表示されている画像部分である旨のメッセージを加えた画像を表示させるようにしてもよい。このように、表示部の所定の領域に操作が入力されなかった場合は、携帯表示部に表示されている画像と異なる画像を表示させることで、一定時間操作されていないことを通知することができる。また、ブランク画像やスクリーンセーバを表示させることで装置に残像が残ることを抑制することができる。
【００５３】
また、表示装置は、携帯表示部に表示させた画像の情報を記憶部に記憶させるようにしてもよい。なお、記憶部には、表示させた画像の全てを記憶させるようにしてもよいが、操作者の操作により指示された画像を記憶させるようにすることが好ましい。このように、携帯表示部に表示させた画像を記憶させることで、携帯表示部に表示させた画像の履歴を残すことができる。また、複数のウインドウの画像を組み合わせて表示させた画像を記憶することができ、操作者が作成した画像を残すことができる。また、この場合は、表示枠の形状の情報、及び／または携帯表示部に表示させた画像（表示枠内の画像）の形状の情報も合わせて記憶させることが好ましい。このように表示枠の形状及び／または記憶させた画像の形状も記憶させることで、種々の形状の画像を記憶、再現することができ、また、作成した画像をそのままの外形形状で再表示することができる。
【００５４】
以下、図３から図７−５を用いて、表示装置１０の動作及び表示される画像についてより詳細に説明する。ここで、図３から図６は、それぞれ表示装置の動作の一例を示すフロー図である。図７−１から図７−５は、それぞれ、表示装置に表示させる画像を説明するための説明図である。なお、図４は、図３の範囲指定解除処理の処理をより具体的に示すフロー図であり、図５は、図３の画面ロック表示処理の処理をより具体的に示すフロー図であり、図６は、図３の画面通常表示処理の処理をより具体的に示すフロー図である。なお、以下に示す例では、表示部２２に表示されているウインドウの中からウインドウを設定し、そのウインドウを表示している領域を携帯表示部３２に表示させる設定（転送ウインドウ指定）と、表示部２２の所定の領域を携帯表示部３２に表示させる設定（転送範囲指定）とが操作者の操作により選択できる。
【００５５】
まず、図３に示すように、制御部２６は、ステップＳ１２として、通信接続完了イベント待ちを行う。ここで、通信接続完了イベントとは、通信回線１６により、ＰＣ１２と携帯電子機器１４とが接続されたことを通知するイベントである。また、制御部２６は、ステップＳ１２の処理を開始する前は、ＰＣ１２と携帯電子機器１４とが接続されていない状態である。制御部２６は、ステップＳ１２で何らかのイベントを検出したら、ステップＳ１４に進む。
【００５６】
制御部２６は、ステップＳ１４として、ステップＳ１２で検出したイベントが通信接続完了イベントであるかを判定する。制御部２６は、ステップＳ１４で通信接続完了イベントではない（Ｎｏ）と判定したら、ステップＳ１２で検出したイベントの処理は行った後、ステップＳ１２に進み、イベント待ちを行う。つまり、制御部２６は、通信接続完了イベントを検出するまで、ステップＳ１２とステップＳ１４とを繰り返す。
【００５７】
制御部２６は、ステップＳ１４で、通信接続完了イベントである（Ｙｅｓ）と判定したら、ステップＳ１６として、各種イベント待ちをする。つまり、制御部２６は、ステップＳ１６として、所定のイベントが検出されるのを待ち、イベントが検出されたらステップＳ１８に進む。制御部２６は、ステップＳ１６でイベントが検出されたら、ステップＳ１８からステップＳ５８の処理で、検出したイベントの種類を判定し、そのイベントの処理を行う。以下、説明する。
【００５８】
まず、制御部２６は、ステップＳ１８として、検出したイベントが、転送ウインドウ指定イベントであるかを判定する。つまり、１つのウインドウを転送する対象、つまり、携帯表示部３２に表示させる対象として設定するイベントであるかを判定する。制御部２６は、ステップＳ１８で転送ウインドウ指定イベントである（Ｙｅｓ）と判定したら、ステップＳ２０として、範囲指定解除処理を行う。
【００５９】
以下、図４を用いて範囲指定解除処理について説明する。なお、範囲指定解除処理は、他のイベントでも実行される処理であり、携帯表示部３２に画像を表示する設定を解除する処理、つまり、携帯表示部３２での画像表示を停止する処理である。まず、制御部２６は、ステップＳ７０として、転送ウインドウ指定か、つまり転送するウインドウ（携帯表示部３２に表示させる画像としてウインドウ）が指定されている状態であるかを判定する。制御部２６、ステップＳ７０で転送ウインドウ指定の状態である、つまり転送するウインドウが指定されている（Ｙｅｓ）と判定したら、ステップＳ７２として、転送ウインドウのクリアを行う。つまり、所定のウインドウが転送するウインドウとして指定されている設定を解除する。その後、制御部２６は、ステップＳ８０に進む。
【００６０】
また、制御部２６は、ステップＳ７０で、転送ウインドウ指定の状態ではない（Ｎｏ）、つまり、転送するウインドウが指定されていないと判定したら、ステップＳ７４として、転送範囲指定であるか、つまり、転送する範囲（携帯表示部３２に表示させる画像として表示部２２の範囲、領域）が指定されている状態であるかを判定する。制御部２６は、ステップＳ７４で転送範囲指定の状態である（Ｙｅｓ）と判定したら、ステップＳ７６として、転送範囲指定のクリアを行う。つまり、所定の範囲が転送する範囲として指定されている設定を解除する。その後、制御部２６は、ステップＳ７８として、移動前の表示位置にウインドウを復帰させる。つまり、転送範囲指定の状態で、所定の領域（すなわち、表示枠）内にあるウインドウを移動させた場合は、各ウインドウを転送範囲指定の状態の前に表示させていた位置に移動させる。その後、制御部２６は、ステップＳ８０に進む。
【００６１】
制御部２６は、ステップＳ７４で、転送範囲指定ではない（Ｎｏ）、つまり、携帯表示部３２に表示させる範囲（領域）が設定されていないと判定したら、また、ステップＳ７２、ステップＳ７８の処理を行ったら、ステップＳ８０として、転送を停止する。つまり、制御部２６は、ステップＳ８０として、携帯表示部３２への画像信号（画像情報）の送信を停止し、携帯表示部３２には、画像が表示されてない状態とする。制御部２６は、範囲指定解除処理として以上の処理を行う。
【００６２】
図３に戻り、説明を続ける。制御部２６は、ステップＳ２０で、範囲指定解除処理を行ったら、ステップＳ２２として、転送ウインドウを設定し、転送を開始する。つまり、ステップＳ１８で検出した転送ウインドウ指定イベントに基づいて、表示部２２に表示されているウインドウの中から転送するウインドウ、つまり、携帯表示部３２に表示させるウインドウを設定する。さらに、制御部２６は、設定したウインドウの画像の情報を携帯電子機器１４に送り、送った画像を携帯表示部３２に表示させる処理を開始する。つまり、図７−１に示すように、携帯表示部３２に表示されていない状態から、表示部２２に表示されているウインドウの画像６０を携帯表示部３２に転送し、図７−２に示すように、携帯表示部３２に画像６２を表示させる。なお、画像６２は、縦横比、画素等は異なる可能性があるが、画像６０と同一の画像情報から生成された画像である。その後、制御部２６は、ステップＳ１６に進む。
【００６３】
次に、制御部２６は、ステップＳ１８でイベントが転送ウインドウ指定イベントではない（Ｎｏ）と判定したら、ステップＳ２４として、イベントが転送ウインドウ解除イベントであるかを判定する。制御部２６は、ステップＳ２４で、イベントが転送ウインドウ解除イベントである（Ｙｅｓ）と判定したら、ステップＳ２６として、範囲指定解除処理を行い、ステップＳ１６に進む。なお、ステップＳ２６の指定範囲解除処理は、ステップＳ２０と同様の処理（図４に示すフロー図の処理）であり、ステップＳ２６では、転送ウインドウの指定を解除し、携帯表示部３２での画像の表示を停止する。
【００６４】
また、制御部２６は、ステップＳ２４でイベントが転送ウインドウ解除イベントではない（Ｎｏ）と判定したら、ステップＳ２８として、イベントが転送範囲指定イベントであるかを判定する。制御部２６は、ステップＳ２８として、イベントが転送範囲指定イベントである（Ｙｅｓ）と判定したら、ステップＳ３０として、範囲指定解除処理を行う。なお、ステップＳ３０の範囲指定解除処理も、ステップＳ２０と同様の処理（図４に示すフロー図の処理）である。制御部２６は、ステップＳ３０で、範囲指定解除処理を行ったら、ステップＳ３２として、転送範囲を設定し、転送を開始する。つまり、ステップＳ２８で検出した転送範囲指定イベントに基づいて、表示部２２に表示されている画像の領域のうち転送する領域、つまり、携帯表示部３２に表示させる画像の領域を設定する。さらに、制御部２６は、設定した範囲の画像の情報を携帯電子機器１４に送り、送った画像を携帯表示部３２に表示させる処理を開始し、その後、ステップＳ１６に進む。
【００６５】
次に、制御部２６は、ステップＳ２８でイベントが転送範囲指定イベントではない（Ｎｏ）と判定したら、ステップＳ３４として、イベントが転送範囲指定解除イベントであるかを判定する。制御部２６は、ステップＳ３４で、イベントが転送範囲指定解除イベントである（Ｙｅｓ）と判定したら、ステップＳ３６として、範囲指定解除処理を行い、ステップＳ１６に進む。なお、ステップＳ３６の範囲指定解除処理も、ステップＳ２０と同様の処理（図４に示すフロー図の処理）であり、ステップＳ３６では、転送範囲の指定を解除し、携帯表示部３２での画像の表示を停止する。
【００６６】
次に、制御部２６は、ステップＳ３４でイベントが転送範囲指定解除イベントではない（Ｎｏ）と判定したら、ステップＳ３８として、イベントが画面ロックイベントであるかを判定する。ここで、画面ロック設定とは、表示部２２の表示枠内に新たなウインドウが移動されても、新たなウインドウの画像は、携帯表示部３２には、表示させない設定である。画面ロックイベントとは、携帯表示部３２に表示させる（転送する）画像の設定を画面ロックの設定にするイベントである。制御部２６は、ステップＳ３８で画面ロックイベントである（Ｙｅｓ）と判定したら、ステップＳ４０として画面ロック設定を行い、ステップＳ４２として画面ロック表示処理を行った後、ステップＳ１６に進む。画面ロック表示処理については、後ほど説明する。
【００６７】
次に、制御部２６は、ステップＳ３８でイベントが画面ロックイベントではない（Ｎｏ）と判定したら、ステップＳ４４として、イベントが画面ロック解除イベントであるかを判定する。つまり、画面ロックの設定を解除するイベントであるかを判定する。制御部２６は、ステップＳ４４で画面ロック解除イベントである（Ｙｅｓ）と判定したら、ステップＳ４６として画面ロック解除設定を行い、ステップＳ４８として画面通常表示処理を行った後、ステップＳ１６に進む。画面通常表示処理については、後ほど説明する。
【００６８】
次に、制御部２６は、ステップＳ４４でイベントが画面ロック解除イベントではない（Ｎｏ）と判定したら、ステップＳ５０として、転送範囲（表示枠）内へウインドウ移動発生イベントであるかを判定する。つまり、図７−３に示すように、表示部２２に表示させている表示枠内の画像６０に他のウインドウの画像６４が移動されたかを判定する。
【００６９】
制御部２６は、ステップＳ５０で、ウインドウ移動発生イベントである（Ｙｅｓ）と判定したら、ステップＳ５２として、画面ロック中であるかを判定する。つまり、画面ロックが設定されているか否かを判定する。制御部２２は、ステップＳ５２として、画面ロック中である（Ｙｅｓ）と判定したら、ステップＳ５４として、画面ロック表示処理を行い、ステップＳ１６に進む。
【００７０】
以下、図５を用いて、画面ロック表示処理について説明する。まず制御部２２は、ステップＳ９０として、転送画面・表示画面を別々のバッファで処理する。つまり、転送画面（携帯表示部３２に表示させる画面）と、表示画面（表示部２２の表示枠内に表示させる画面）とを別々の画像として作成する処理を開始する。制御部２２は、ステップＳ９０で２つの画像の作成を開始したら、ステップＳ９２として、移動してきたウインドウについて表示画像のみ更新する処理を行う。つまり、画像ロック表示処理では、転送画像と表示画像を別々に作成し、表示枠内に別のウインドウの画像が移動された場合は、表示画像のみ画像を更新する。これにより、図７−４に示すように、表示画像として、画像６０と画像６４とが重なっても、転送画像には、表示枠内の別のウインドウの画像が表示されず、画像６０と同様の画像情報に基づいて作成された画像６２のみが表示される。
【００７１】
図３に戻り、説明を続ける。次に、制御部２６は、ステップＳ５２で、画面ロック中ではない（Ｎｏ）と判定したら、ステップＳ５６として、画面通常表示処理を行い、ステップＳ１６に進む。
【００７２】
以下、図６を用いて、画面通常表示処理について説明する。まず、制御部２６は、ステップＳ９４として、移動前のウインドウの表示位置を保存する。つまり、制御部２６は、ステップＳ５０で移動されるウインドウの移動前の表示部２２での表示位置を保存する。その後、制御部２６は、ステップＳ９６として、移動してきたウインドウは、設定により、そのままの画像サイズか転送範囲に合わせて拡大、縮小を行う。つまり、制御部２６は、ステップＳ９６として、他のウインドウの表示枠内に移動した部分を携帯表示部３２の表示設定に合わせて画像の大きさ等を調整し、転送画像として生成する。これにより、図７−５に示すように、表示画像として、画像６０と画像６４とが重なったら、転送画像には、表示枠内の画像に合わせて、画像６０と同様の画像情報に基づいて作成された画像６２の一部に、画像６４と同様の画像情報に基づいて作成された画像６６が表示される。つまり、表示画像と転送画像は、同一の画像情報に基づいて作成された画像が表示される。
【００７３】
図３に戻り、説明を続ける。次に、制御部２６は、ステップＳ５０で、ウインドウ移動発生イベントではない（Ｎｏ）と判定したら、ステップＳ５８として、通信切断イベントであるかを判定する。制御部２６は、ステップＳ５８で通信切断イベントではない（Ｎｏ）と判定したら、ステップＳ１６に進む。
【００７４】
また、制御部２６は、ステップＳ５８で通信切断イベントである（Ｙｅｓ）と判定したら、ステップＳ６０として、範囲指定解除処理を行い、処理を終了する。つまり、ステップＳ６０で、携帯表示部３２での画像表示を停止して処理を終了する。
【００７５】
ここで、図３から図７−５に示す例では、携帯表示部に表示する画像の設定とウインドウの移動の処理を説明したが、制御部での処理は、これに限定されず、上記処理に加えまたは替えて、上述した各種処理、例えば、表示枠の移動処理、１つのウインドウの移動処理の制御を行うようにしてもよい。
【００７６】
なお、上記実施形態では、表示装置の表示部として、一方の表示部（第１表示部）としてＰＣの表示部を用い、他方の表示部（第２表示部）として携帯電子機器の携帯表示部を用いたが、本発明はこれに限定されない。一方の表示部としては、操作者が操作を行う際に見る種々の表示部、例えば携帯電子機器の表示部を用いることができる。また、他方の表示部としても、ＰＣの表示部、種々の液晶モニター、プロジェクタ等を用いることができる。
【産業上の利用可能性】
【００７７】
以上のように、本発明にかかる表示装置は、２つの表示部に異なる画像を表示させる電子機器に用いることに適している。
【符号の説明】
【００７８】
１０  表示装置
１２  パーソナルコンピュータ（ＰＣ）
１４  携帯電子機器
１６  通信回線
２０  処置装置
２２  表示部
２４  操作部
２６  制御部
２８  記憶部
３０  外部通信部
３２  携帯表示部
【図１−１】
2011048204.tif 000003
【図１−２】
2011048204.tif 000004
【図２−１】
2011048204.tif 000005
【図２−２】
2011048204.tif 000006
【図２−３】
2011048204.tif 000007
【図３】
2011048204.tif 000008
【図４】
2011048204.tif 000009
【図５】
2011048204.tif 000010
【図６】
2011048204.tif 000011
【図７−１】
2011048204.tif 000012
【図７−２】
2011048204.tif 000013
【図７−３】
2011048204.tif 000014
【図７−４】
2011048204.tif 000015
【図７−５】
2011048204.tif 000016